(57)【要約】【課題】通常では目視することのできない印刷物識別情報（既に印刷されている印刷物と同じ条件の印刷物を印刷するための情報）により印刷物を管理できるようにする。【解決手段】印刷しようとする画像２２と該画像２２の印刷条件を示す印刷物識別情報が不可視インクで付与された不可視印刷物識別情報付与印刷物２０から不可視インク読取器２６により不可視印刷物識別情報２４を読み取り、読み取った印刷物識別情報によりデータベース３２を検索するようにしたので、通常では目視することのできない不可視印刷物識別情報２４（既に印刷されている印刷物と同じ条件の印刷物を印刷するための情報）により印刷物を管理することができる。【選択図】図１
2009288961.tif 000002
【特許請求の範囲】
【請求項１】
既に印刷されている印刷物と同じ条件の印刷物を印刷するための印刷物情報管理システムであって、
印刷しようとする画像と該画像の印刷条件を示す印刷物識別情報とが予め記憶されたデータベースと、
前記印刷物識別情報が不可視インクで付与された不可視印刷物識別情報付与印刷物と、
前記不可視印刷物識別情報付与印刷物から前記不可視インクで付与された前記印刷物識別情報を読み取る不可視インク読取器と、
読み取った前記印刷物識別情報により前記データベースを検索する検索部と、
を備えることを特徴とする印刷物情報管理システム。
【請求項２】
請求項１記載の印刷物情報管理システムにおいて、
前記不可視インクがＵＶインクであり、前記印刷物識別情報がＵＶバーコードであり、前記不可視インク読取器がＵＶインク読取器である
ことを特徴とする印刷物情報管理システム。
【請求項３】
既に印刷されている印刷物と同じ条件の印刷物を印刷するための印刷物情報管理方法であって、
印刷しようとする画像と該画像の印刷条件を示す印刷物識別情報に応じて、予めデータベースに記憶された前記画像と前記印刷条件を読み出し、読み出した前記印刷条件に基づき前記画像が印刷された印刷物を形成するステップと、
前記印刷物に、前記印刷物識別情報を不可視インクで付与した不可視印刷物識別情報付与印刷物を形成するステップと、
前記不可視印刷物識別情報付与印刷物から不可視インク読取器により、前記不可視インクで付与された前記印刷物識別情報を読み取るステップと、
読み取った前記印刷物識別情報により前記データベースを検索するステップと、
を備えることを特徴とする印刷物情報管理方法。
【請求項４】
既に印刷されている印刷物と同じ条件の印刷物を印刷するための印刷物情報管理手順を表す、コンピュータ読み取り可能なプログラムであって、
印刷しようとする画像と該画像の印刷条件を示す印刷物識別情報に応じて、予めデータベースに記憶された前記画像と前記印刷条件を読み出し、読み出した前記印刷条件に基づき前記画像が印刷された印刷物を形成させるステップと、
前記印刷物に、前記印刷物識別情報を不可視インクで付与した不可視印刷物識別情報付与印刷物を形成させるステップと、
前記不可視印刷物識別情報付与印刷物から不可視インク読取器を通じて、前記不可視インクで付与された前記印刷物識別情報を読み取るステップと、
読み取った前記印刷物識別情報により前記データベースを検索するステップと、
を備えるコンピュータ読み取り可能なプログラム。
【発明の詳細な説明】
【技術分野】
【０００１】
この発明は、既に印刷されている印刷物と同じ条件の印刷物を印刷するための印刷物情報管理システム、方法及びプログラムに関する。
【背景技術】
【０００２】
従来から、既に印刷されている印刷物と同じ条件の印刷物を印刷するための印刷物情報管理方法が提案されている（特許文献１）。
【０００３】
この特許文献１には、初版の印刷物の裏表紙等に印刷された前記印刷物の識別情報である、文書情報と製本情報を示すためのバーコード情報を、印刷ショップのバーコード読取装置により読み取り、読み取ったバーコード情報を印刷ショップのローカルサーバからウエブサーバに対して送信する。前記ウエブサーバは、受信した前記バーコード情報に対応する文書情報（画像や文字）と製本情報（白黒又はカラー印刷、解像度［ｄｐｉ］、及び綴じ方）を前記ローカルサーバに対して送信する。前記ローカルサーバは、受信した文書情報を受信した製本情報にしたがって印刷ショップの画像形成装置に入力する。特許文献１には、これにより前記画像形成装置から前記初版の印刷物と同等の印刷物が出力されると開示されている。
【０００４】
【特許文献１】特開２００３−１５０３３７号公報（要約）
【発明の開示】
【発明が解決しようとする課題】
【０００５】
しかしながら、上記従来技術に係る印刷物情報管理方法においては、例えば、ぺら物（一枚物）の印刷物である場合、バーコードの印字位置が制限されるという問題がある。
【０００６】
また、バーコードを印字した場合には美観が損なわれるという問題もある。
【０００７】
さらにまた、上記従来技術においては、バーコード情報が、文書情報と製本情報に限られているという問題もある。
【０００８】
この発明はこのような課題を考慮してなされたものであり、通常では目視することのできない印刷物識別情報（既に印刷されている印刷物と同じ条件の印刷物を印刷するための情報）により印刷物を管理することを可能とする印刷物情報管理システム、方法及びプログラムを提供することを目的とする。
【課題を解決するための手段】
【０００９】
この発明に係る印刷物情報管理システムは、既に印刷されている印刷物と同じ条件の印刷物を印刷するための印刷物情報管理システムであって、印刷しようとする画像と該画像の印刷条件を示す印刷物識別情報とが予め記憶されたデータベースと、前記印刷物識別情報が不可視インクで付与された不可視印刷物識別情報付与印刷物と、前記不可視印刷物識別情報付与印刷物から前記不可視インクで付与された前記印刷物識別情報を読み取る不可視インク読取器と、読み取った前記印刷物識別情報により前記データベースを検索する検索部と、を備えることを特徴とする特徴とする。
【００１０】
この発明によれば、印刷しようとする画像と該画像の印刷条件を示す印刷物識別情報が不可視インクで付与された不可視印刷物識別情報付与印刷物から不可視インク読取器により前記印刷物識別情報を読み取り、前記印刷物識別情報によりデータベースを検索するようにしたので、通常では目視することのできない印刷物識別情報（既に印刷されている印刷物と同じ条件の印刷物を印刷するための情報）により印刷物を管理することができる。
【００１１】
不可視インクで付与された印刷物識別情報が読み取れたとき、当該印刷物が複写物（コピー）ではなく原本（オリジナル）であると認識することができる。
【００１２】
不可視インクで付与された印刷物識別情報は、印刷用紙全体の大きさに印刷しても画像の閲覧を妨げないので大面積の印刷物識別情報を付与可能であり、情報量を大きくできる。しかも、画像上印刷位置の制限がない（どの位置に印刷してもよい）。
【００１３】
これに対して、例えば電子透かしは、人間の目に見えない特定の高周波の空間信号に限定されるが、不可視インクで付与された前記印刷物識別情報は透明であるので画像の絵柄の周波数に制限はない。
【００１４】
前記不可視インクをＵＶインクとし、前記印刷物識別情報をＵＶバーコードとし、前記不可視インク読取器がＵＶインク読取器とした場合、画像の上に印刷されていても通常は見えないＵＶインクバーコードを、ＵＶ光源を含むＵＶインク読取器により可視化することができる。この場合、ＵＶ周波数帯域毎に異なる情報を付与することができる。
【００１５】
この発明に係る印刷物情報管理方法は、既に印刷されている印刷物と同じ条件の印刷物を印刷するための印刷物情報管理方法であって、印刷しようとする画像と該画像の印刷条件を示す印刷物識別情報に応じて、予めデータベースに記憶された前記画像と前記印刷条件を読み出し、読み出した前記印刷条件に基づき前記画像が印刷された印刷物を形成するステップと、前記印刷物に、前記印刷物識別情報を不可視インクで付与した不可視印刷物識別情報付与印刷物を形成するステップと、前記不可視印刷物識別情報付与印刷物から不可視インク読取器により、前記不可視インクで付与された前記印刷物識別情報を読み取るステップと、読み取った前記印刷物識別情報により前記データベースを検索するステップと、を備えることを特徴とする。
【００１６】
この発明に係るコンピュータ読み取り可能なプログラムは、既に印刷されている印刷物と同じ条件の印刷物を印刷するための印刷物情報管理手順を表す、コンピュータ読み取り可能なプログラムであって、印刷しようとする画像と該画像の印刷条件を示す印刷物識別情報に応じて、予めデータベースに記憶された前記画像と前記印刷条件を読み出し、読み出した前記印刷条件に基づき前記画像が印刷された印刷物を形成させるステップと、前記印刷物に、前記印刷物識別情報を不可視インクで付与した不可視印刷物識別情報付与印刷物を形成させるステップと、前記不可視印刷物識別情報付与印刷物から不可視インク読取器を通じて、前記不可視インクで付与された前記印刷物識別情報を読み取るステップと、読み取った前記印刷物識別情報により前記データベースを検索するステップと、を備える。
【発明の効果】
【００１７】
この発明によれば、印刷しようとする画像と該画像の印刷条件を示す印刷物識別情報が不可視インクで付与された不可視印刷物識別情報付与印刷物から、通常では目視することのできない印刷物識別情報（既に印刷されている印刷物と同じ条件の印刷物を印刷するための情報）により印刷物を管理することができる。
【発明を実施するための最良の形態】
【００１８】
以下、この発明の一実施形態に係る印刷物情報管理システム、方法及びプログラムについて図面を参照して説明する。
【００１９】
図１は、この発明の一実施形態に係る印刷物情報管理システム１０の構成を示している。
【００２０】
この印刷物情報管理システム１０は、基本的には、印刷しようとする文字を含む画像と該画像の印刷条件を示す印刷物識別情報とが予め記憶されたデータベース３２を有するサーバとしての印刷物管理装置１２と、データベース３２から読み出された前記画像と該画像の印刷条件に基づき印刷用紙上に画像２２を印刷する印刷機１４と、画像２２上に不可視印刷物識別情報２４を印刷する不可視インク印刷機１６と、画像２２上に不可視印刷物識別情報２４が付与された不可視印刷物識別情報付与印刷物２０と、不可視印刷物識別情報付与印刷物２０から不可視インク（ステルスインク、又はインビジブルインクともいう。）で付与された前記印刷物識別情報を読み取る不可視インク読取器２６と、読み取った前記印刷物識別情報によりデータベース３２を検索する印刷物管理装置１２の機能としての検索部３０とを備える。
【００２１】
画像の前記印刷条件は、画像２２を形成する印刷機１４の種類（型式）、印刷用紙の重さ・種類、及び面付け枚数等のジョブ情報と、画像２２のデータに関する、ＣＭＹＫ、ＲＧＢ、白黒（グレイスケール）の区別、色処理等のＥｘｉｆタグ情報からなる。
【００２２】
印刷機１４としては、オフセット印刷機の他、電子写真プリンタ、インクジェットプリンタ等が採用される。
【００２３】
不可視インク印刷機１６としては、インクヘッドから射出されて印刷用紙に付着した後、強い紫外線を照射することで硬化させ印刷用紙に定着されるＵＶ硬化型顔料インク（ＵＶインク）を用いるものが採用される。この実施形態において、画像２２上に不可視インク印刷機１６により印刷された不可視印刷物識別情報２４は、ＵＶバーコードとしている。２次元のＵＶＱＲコードとすることもできる。
【００２４】
この実施形態において、不可視インク読取器２６は、不可視印刷物識別情報２４に紫外線を照射してＵＶバーコードを可視化（顕在化）して読み取る機能を有する。
【００２５】
次に、印刷物情報管理システム１０の動作について、図２に示すフローチャートを参照して説明する。
【００２６】
初版の不可視印刷物識別情報付与印刷物２０を形成しようとするとき、印刷しようとする画像２２のデータと印刷条件とからなる印刷コンテンツを検索可能とするため所定のキーワードに対応づけてデータベース３２に予め記憶する。
【００２７】
印刷物管理装置１２に前記所定のキーワードと印刷物形成の指示が入力されると、印刷物管理装置１２は、検索部３０を通じてキーワードに合致する印刷コンテンツを読み出し、印刷機１４に設定する。なお、読み出された印刷コンテンツは、印刷物管理装置１２のディスプレイ（表示装置）１３上に表示される。
【００２８】
ステップＳ１において、印刷物管理装置１２は、印刷コンテンツ中の印刷条件に基づき画像２２を印刷用紙上に印刷機１４を通じて印刷する。
【００２９】
次いで、ステップＳ２において、前記所定のキーワードを不可視印刷物識別情報として不可視インク印刷機１６に設定し、該不可視インク印刷機１６を通じて画像２２上に不可視印刷物識別情報２４を不可視インクで印刷し付与する。
【００３０】
このようにして、不可視印刷物識別情報付与印刷物２０が形成される（完成する）。
【００３１】
図３は、不可視印刷物識別情報付与印刷物２０の模式的断面図である。印刷用紙５２上に、インク１２２により文字を含む画像２２が形成され、画像２２が覆われる透明コーティング膜１２６（ＵＶコーティング膜）上にＵＶインク１２４により不可視印刷物識別情報２４がＵＶバーコードとして形成されている。
【００３２】
次に、このようにして既に印刷されていう不可視印刷物識別情報付与印刷物２０同じ条件の印刷物を印刷（再印刷）しようとするとき｛なお、再印刷する場合には、不可視印刷物識別情報の付与、非付与を選択することができる。いずれの場合にも、不可視印刷物識別情報付与印刷物２０は、いわゆる原本（オリジナル）印刷物とみなすことができる。｝、ステップＳ３において、印刷物管理装置１２は、不可視インク読取器２６を通じて不可視印刷物識別情報２４から印刷物識別情報である前記キーワードを読み取る。
【００３３】
次いで、ステップＳ４において、印刷物管理装置１２の検索部３０は、不可視印刷物識別情報付与印刷物２０から読み取った印刷物識別情報であるキーワードに合致する印刷コンテンツをデータベース３２から読み出す。
【００３４】
以下、ステップＳ１で説明したのと同様に、読み出した印刷コンテンツの印刷条件に基づき画像２２を印刷用紙５２上に印刷機１４を通じて印刷する。
【００３５】
以上説明したように上述した実施形態によれば、印刷しようとする画像２２と該画像２２の印刷条件を示す印刷物識別情報が不可視インクで付与された不可視印刷物識別情報付与印刷物２０から不可視インク読取器２６によりＵＶバーコードである不可視印刷物識別情報２４を読み取り、読み取った印刷物識別情報によりデータベース３２を検索するようにしたので、通常では目視することのできない不可視印刷物識別情報２４（既に印刷されている印刷物と同じ条件の印刷物を印刷するための情報）により印刷物を管理することができる。
【００３６】
なお、最初（初版）の印刷物のみに不可視印刷物識別情報２４を付与しておくことで、不可視インクで付与された不可視印刷物識別情報２４が読み取れたとき、当該印刷物が複写物（コピー）ではなく原本（オリジナル）であると認識することができる。なお、ＵＶ光源により不可視印刷物識別情報２４を可視化できるので画像２２上、目視によりＵＶバーコードの付与位置を確認できる。
【００３７】
不可視印インクで付与された不可視印刷物識別情報２４は、印刷用紙全体の大きさに印刷しても画像の閲覧を妨げないので大面積の印刷物識別情報を付与可能であり、情報量を大きくできる。しかも、画像上印刷位置の制限がない（どの位置に印刷してもよい）。
【００３８】
これに対して、例えば電子透かしは、人間の目に見えない特定の高周波の空間信号に限定されるが、不可視インクで付与された前記印刷物識別情報は透明であるので画像の絵柄の周波数に制限はない。
【００３９】
図４は、横軸が空間周波数ｆｓであり、不可視印刷物識別情報の周波数領域ＢＷは、画像２２の絵柄の周波数領域ＢＷｉと絵柄の周波数より高い電子透かしの周波数領域ＢＷｗに跨る広さの領域にすることができることが分かる。
【００４０】
図５は、横軸が電磁波の周波数ｆｅであり、ＵＶ周波数領域に対応する、不可視印刷物識別情報の周波数領域ＢＷｕｖを、印刷条件識別情報領域ＢＷｐｃｉｄ、ＢＷｐｉｄと、画像識別情報領域Ｂｗｉｉｄとに領域を分けて不可視印刷物識別情報２４を付与することもできる。印刷条件識別情報領域ＢＷｐｉｄには、例えば、印刷条件中、印刷機の情報のみを割り当てる。このように、ＵＶ周波数の帯域を区切って情報を区分することもできる。
【００４１】
図６は、応用例である。通信線１０４に、印刷物管理装置１２と印刷機１４と不可視インク印刷機１６と不可視インク読取器２６の他、それぞれがパーソナルコンピュータである印刷工程責任者識別情報入力器１０２Ａ、検版工程責任者入力器１０２Ｂ、折機工程責任者識別情報入力機１０２Ｃ、及び製本機工程責任者識別情報入力機１０２Ｄが接続される。
【００４２】
印刷機１４により紙刷版が形成されたとき、形成された紙刷版が検版工程責任者により目視で検版されたとき、検版された紙刷版を折機４０により折ったとき、折られた紙刷版が製本機４２により裁断され綴じられて印刷物としての本２０Ａが作成されたとき、それぞれ各工程の責任者により責任者識別情報が入力され、印刷物管理装置１２を通じて不可視インク印刷機１６に設定され、不可視印刷物識別情報２４として本２０Ａの裏表紙に印刷される。各責任者識別情報は、異なる空間周波数で描画することで重畳描画することができる。不可視印刷物識別情報２４は、不可視インク読取器２６で読み取ることが可能であり、印刷物管理装置１２で、全ての責任者識別情報が正しいかどうか等を照合することができる。
【００４３】
なお、この発明は、上述した実施形態に限らず、この明細書の記載内容に基づき、例えば、不可視インクとしてＵＶインクに限定することなく、可視光以外の色周波数を用いる等、種々の構成を採り得ることはもちろんである。
【図面の簡単な説明】
【００４４】
【図１】この発明の一実施形態に係る印刷物情報管理システムの構成図である。
【図２】図１例の印刷物情報管理システムの動作説明に供されるフローチャートである。
【図３】不可視印刷物識別情報付与印刷物の模式的断面図である。
【図４】不可視印刷物識別情報の空間周波数領域の説明図である。
【図５】ＵＶ周波数の帯域を区切って情報を区分する際の説明図である。
【図６】応用例の説明図である。
【符号の説明】
【００４５】
１０…印刷物情報管理システム          １２…印刷物管理装置
２０…不可視印刷物識別情報付与印刷物  ２２…画像
２４…不可視印刷物識別情報            ２６…不可視インク読取器
３２…データベース
【図１】
2009288961.tif 000003
【図２】
2009288961.tif 000004
【図３】
2009288961.tif 000005
【図４】
2009288961.tif 000006
【図５】
2009288961.tif 000007
【図６】
2009288961.tif 000008